(57)【要約】【課題】簡単な操作で効率よく適切な文字変換を行うことができる文字入力装置を提供すること。【解決手段】操作キー、方向および決定キーで構成され文字列を入力するための入力部と、入力された文字列及び入力された文字列の変換候補を表示する表示部と、入力された文字列を頭文字略語に変換したものを、入力された文字列の変換候補として選択可能にし、表示部に表示させる制御部とを有することで上記課題を解決する。【選択図】図１
2010277219.tif 000002
【特許請求の範囲】
【請求項１】
文字列を入力するための入力部と、
入力された前記文字列の変換候補を表示する表示部と、
入力された文字列を頭文字略語に変換したものを、入力された前記文字列の変換候補として選択可能にし、前記表示部に表示させる制御部とを有することを特徴とする文字入力装置。
【請求項２】
前記制御部は、前記文字列を複数の単語に分割し、分割した前記単語をそれぞれ頭文字略語に変換して配列させることを特徴とする請求項１に記載の文字入力装置。
【請求項３】
前記入力された文字列は、かな文字を含む文字列であり、
前記頭文字略語は、ローマ字変換した先頭のアルファベットであることを特徴とする請求項１または２に記載の文字入力装置。
【請求項４】
前記制御部は、前記頭文字略語の基準とした頭文字の上にドットを表示させることを特徴とする請求項１から３のいずれか１項に記載の文字入力装置。
【請求項５】
前記制御部は、前記頭文字略語に変換前の文字列を文字情報として対応付けて記憶させることを特徴とする請求項１から４のいずれか１項に記載の文字入力装置。
【請求項６】
前記制御部は、前記頭文字略語を含む文章データを表示させる場合に、前記頭文字略語に対応付けられた文字情報も表示させることを特徴とする請求項５に記載の文字入力装置。
【請求項７】
さらに、他の端末にデータを送信する送信部を有し、
前記制御部は、前記送信部により、前記頭文字略語を含む文章データの前記頭文字略語に対応付けられた文字情報とを送信させることを特徴とする請求項５または６に記載の文字入力装置。
【請求項８】
請求項７に記載の文字入力装置と、
前記文字入力装置から送られるデータを受信する受信部及び前記受信部が受信したデータを表示させる受信データ表示部と、を備える表示装置と、を有し、
前記受信データ表示部は、前記受信部が受信したデータに基づいて、前記文章データとともに前記頭文字略語に対応付けられた文字情報を表示させることを特徴とする文字表示システム。
【請求項９】
他の装置から送られるデータを受信する受信部と、
前記受信部が受信したデータを表示させる受信データ表示部と、を有し、
前記データは、頭文字略語を含む文章データと前記頭文字略語に対応付けられた文字情報とを含み、
前記受信データ表示部は、前記受信部が受信したデータに基づいて、前記文章データとともに前記頭文字略語に対応付けられた文字情報を表示させることを特徴とする文字表示装置。
【請求項１０】
入力された文字を検出する入力文字検出ステップと、
前記入力文字検出ステップで検出した複数の文字で構成される文字列を、複数の単語に分割する単語分割ステップと、
前記単語分割ステップで分割した単語をそれぞれ頭文字略語に変換して配列したものを変換候補に含めて変換候補を作成する変換候補作成ステップと、
前記変換候補作成ステップで作成した変換候補を表示させる変換候補表示ステップと、を有することを特徴とする文字変換方法。
【発明の詳細な説明】
【技術分野】
【０００１】
本発明は、操作者の操作に基づいて文字を入力する文字入力装置、文字表示システム、文字表示装置及び文字変換方法に関する。
【背景技術】
【０００２】
文字入力装置として、文字列を入力する入力部と、入力された文字列の変換候補を表示する表示部と、を備えたものがある。また、文字入力装置は、文字変換テーブルを予め記憶しており、文字変換テーブルを参照して、入力された文字列の変換候補を表示部に表示させる（特許文献１参照）。
【先行技術文献】
【特許文献】
【０００３】
【特許文献１】特開２００２−３６６２８９号公報
【発明の概要】
【発明が解決しようとする課題】
【０００４】
ところで、文章表現として、複数の単語からなる文字列において、各単語をローマ字表記した場合の頭文字に短縮して表現する、例えば「空気読めない」を「ＫＹ」とするＫＹ語表現がある。これらの変換に対応するため変換時に使用する辞書機能には、「くうきよめない」の変換候補として「ＫＹ」が記憶されている。しかしながら、このＫＹ語表現で表現される単語は、日々増加し、また、使用者によって、使用するＫＹ語が異なるため、全てのＫＹ語を登録することが困難である。また、これらのＫＹ語が誕生する度に、辞書データを更新することも困難である。そのため、新しいＫＹ語が誕生したら、ユーザが自分でローマ字を考えて入力する必要がある。
【０００５】
本発明は、上記に鑑みてなされたものであって、簡単な操作で効率よく適切な文字変換を行うことができ、及び／または、変換された文字を適切に表示することができる文字入力装置、文字表示システム、文字表示装置及び文字変換方法を提供することを目的とする。
【課題を解決するための手段】
【０００６】
上述した課題を解決し、目的を達成するために、本発明は、文字入力装置であって、文字列を入力するための入力部と、入力された前記文字列の変換候補を表示する表示部と、入力された文字列を頭文字略語に変換したものを、入力された前記文字列の変換候補として選択可能にし、前記表示部に表示させる制御部とを有することを特徴とする。
【０００７】
ここで、前記制御部は、前記文字列を複数の単語に分割し、分割した前記単語をそれぞれ頭文字略語に変換して配列させることが好ましい。
【０００８】
また、前記入力された文字列は、かな文字を含む文字列であり、前記頭文字略語は、ローマ字変換した先頭のアルファベットであることが好ましい。
【０００９】
また、前記制御部は、前記頭文字略語の基準とした頭文字の上にドットを表示させることが好ましい。
【００１０】
また前記制御部は、前記頭文字略語に変換前の文字列を文字情報として対応付けて記憶させることが好ましい。
【００１１】
また、前記制御部は、前記頭文字略語を含む文章データを表示させる場合に、前記頭文字略語に対応付けられた文字情報も表示させることが好ましい。
【００１２】
さらに、他の端末にデータを送信する送信部を有し、前記制御部は、前記送信部により、前記頭文字略語を含む文章データの前記頭文字略語に対応付けられた文字情報とを送信させることが好ましい。
【００１３】
上述した課題を解決し、目的を達成するために、本発明は、文字表示システムであって、上記に記載の文字入力装置と、前記文字入力装置から送られるデータを受信する受信部及び前記受信部が受信したデータを表示させる受信データ表示部と、を備える表示装置と、を有し、前記受信データ表示部は、前記受信部が受信したデータに基づいて、前記文章データとともに前記頭文字略語に対応付けられた文字情報を表示させることを特徴とする。
【００１４】
上述した課題を解決し、目的を達成するために、本発明は、文字表示装置であって、他の装置から送られるデータを受信する受信部と、前記受信部が受信したデータを表示させる受信データ表示部と、を有し、前記データは、頭文字略語を含む文章データと前記頭文字略語に対応付けられた文字情報とを含み、前記受信データ表示部は、前記受信部が受信したデータに基づいて、前記文章データとともに前記頭文字略語に対応付けられた文字情報を表示させることを特徴とする。
【００１５】
上述した課題を解決し、目的を達成するために、本発明は、文字変換方法であって、入力された文字を検出する入力文字検出ステップと、前記入力文字検出ステップで検出した複数の文字で構成される文字列を、複数の単語に分割する単語分割ステップと、前記単語分割ステップで分割した単語をそれぞれ頭文字略語に変換して配列したものを変換候補に含めて変換候補を作成する変換候補作成ステップと、前記変換候補作成ステップで作成した変換候補を表示させる変換候補表示ステップと、を有することを特徴とする。
【発明の効果】
【００１６】
本発明にかかる文字入力装置、文字表示システム、文字表示装置及び文字変換方法は、簡単な操作で所望の文字に変換することができ、操作性を高くすることができるという効果を奏する。
【図面の簡単な説明】
【００１７】
【図１】図１は、本発明の文字入力装置の一例である携帯電子機器の一実施形態の概略構成を示す正面図である。
【図２】図２は、図１に示す携帯電子機器の側面図である。
【図３】図３は、図１に示す携帯電子機器の機能の概略構成を示すブロック図である。
【図４】図４は、携帯電子機器の処理動作の一例を示すフロー図である。
【図５】図５は、携帯電子機器の動作を説明するための説明図である。
【図６】図６は、携帯電子機器の動作を説明するための説明図である。
【図７】図７は、携帯電子機器の動作を説明するための説明図である。
【図８】図８は、携帯電子機器の動作を説明するための説明図である。
【図９】図９は、携帯電子機器の処理動作を示すフロー図である。
【図１０】図１０は、携帯電子機器の動作を説明するための説明図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、文字入力装置の一例である携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ゲーム機等に対しても本発明は適用できる。
【００１９】
図１は、本発明の文字入力装置の一例である携帯電子機器の一実施形態の概略構成を示す正面図である。図２は、図１に示す携帯電子機器の側面図である。まず、携帯電子機器の構成を説明する。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。なお、図１、図２は、携帯電子機器１を開いた状態である。
【００２０】
第１筐体１ＣＡには、表示部として、図１に示すメインディスプレイ２Ｍが設けられる。メインディスプレイ２Ｍは、所定の画像として、携帯電子機器１が受信を待機している状態のときに待ち受け画像を表示したり、携帯電子機器１の操作を補助するために用いられるメニュー画像を表示したりする。また、図１に示すように、第１筐体１ＣＡには、携帯電子機器１の通話時に音声を発するレシーバ６が設けられている。
【００２１】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯電子機器１の操作部２８（図３参照）を構成する。また、第２筐体１ＣＢには、携帯電子機器１の通話時に音声を受け取るマイク５が設けられる。
【００２２】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２３】
次に、携帯電子機器１の機能と制御部との関係を説明する。図３は、図１に示す携帯電子機器の機能の概略構成を示すブロック図である。図３に示すように携帯電子機器１は、主制御部２２と、記憶部２４と、通信部２６と、操作部２８と、入力データ取得部２９と、音声処理部３０と、表示部３２と、表示制御部３３と、を有する。
【００２４】
主制御部２２は、携帯電子機器１の全体的な動作を統括的に制御する処理部、例えばＣＰＵ（Central Processing Unit）である。すなわち、携帯電子機器１の各種の処理が、操作部２８の操作や携帯電子機器１の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、文字変換処理を行うソフトウェアや、メールの送受信を行うソフトウェアや、文字変換の際に変換候補の抽出に用いられる辞書データ等が保存されている。
【００２５】
通信部２６は、基地局によって割り当てられるチャネルを介し、基地局との間でＣＤＭＡ方式などによる無線信号回線を確立し、基地局との間で電話通信及び情報通信を行う。
【００２６】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として入力データ取得部２９へ入力される。
【００２７】
入力データ取得部２９は、操作部２８から発生した信号と、入力の設定に基づいて、制御信号を生成し、生成した制御信号を主制御部２２に入力する。例えば、文字入力の場合は、操作キー３の各キーの操作回数に基づいて、各キーに割り当てられている文字から１つの文字を抽出し、文字情報として主制御部２２に出力する。本実施形態では、操作キー３は、１５個のキーで構成されており、そのうち１０個のキーに、数字を入力するモードのときに、１から９及び０が入力されるように割り振られている。さらに、数字の１から９が割り振られたキーには、文字を入力するモードのときにそれぞれあ行からら行の文字を入力するように割り振られており、数字の０が割り振られたキーに「わ」、「を」、「ん」を入力するように割り振られている。また、各行が割り振られているキーには、その行の拗音や上述の数字も割り振られている。これらのキーに割り振られた文字は、所定の配列順番が設定されている。具体的には、あ行及び１が割り振られている「１あ」キーは、「あ」、「い」、「う」、「え」、「お」、「ぁ」、「ぃ」、「ぅ」、「ぇ」、「ぉ」、「１」という配列順番が設定されている。また、配列順番は、トグルになっている。つまり、キーに割り当てられた文字は、循環するように設定されており、「１」の次は「あ」となり、その後上記の配列順番が繰り返される設定となっている。
【００２８】
また、入力データ取得部２９は、操作キーの押下を検出し、押下の回数に基づいて配列順番の文字の中で表示させる（選択する）文字を決定する。入力データ取得部２９は、同じ操作キー３が連続して押下された場合、つまり、直前と同じ操作キー３（正確には、操作キー３の中の１つのキー）が押下された場合は、押下回数に基づいて配列順番の中で表示させる文字（入力候補文字）を選択する。また、入力データ取得部２９は、異なる操作キー３が押下された場合、つまり、直前に押下された操作キー３とは異なる操作キー３（正確には、操作キー３の中の１つのキー）が押下された場合は、押下された操作キー３の配列順番が先頭の文字を表示させる。
【００２９】
音声処理部３０は、マイク５に入力される音声信号やレシーバ６から出力される音声信号の処理を実行する。
【００３０】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３１】
次に、携帯電子機器１の動作、操作部２８に入力される操作と、主制御部２２における処理について説明する。ここで、図４は、携帯電子機器の処理動作の一例を示すフロー図であり、図５は、携帯電子機器の動作を説明するための説明図である。なお、図４に示すフロー図は、電子メールを作成し、送信する処理の一例を示すフロー図である。また、図６から図８は、それぞれ携帯電子機器の動作を説明するための説明図である。具体的には、図６は、文字列として「ちょうくうき」を入力して変換を行う場合の表示例を示す図であり、図７は、文字列として「ちょうくうきよめない」と入力し、変換を行った後、ＫＹ語変換メニューを選択した場合の表示例の一例を示す図である。また、図８は、文字列として「ごめん、俺って超空気読めないからさ」を作成した後、ＫＹ語変換メニューを選択した場合の表示例の一例を示す図である。
【００３２】
まず、携帯電子機器１の主制御部２２は、ステップＳ１２として、起動操作を検知、つまり、文字入力機能の起動指示を検知したら、ステップＳ１４として、文字入力画面を起動させる。具体的には、主制御部２２は、操作者による操作により、メールアプリケーションプログラムを起動させる指示や、テキスト入力を起動する指示を検知したら、文字入力画面を起動させる。また、主制御部２２は、記憶部２４から文字変換を行うためのソフトウェアのデータを読み出しソフトウェアを起動させる。
【００３３】
次に、主制御部２２は、ステップＳ１４で文字入力画面を起動された後、ステップＳ１６として、キー押下動作を検知、つまり、操作者により文字入力操作がされたことを入力データ取得部２９で検出したら、ステップＳ１８として、文字表示処理を行う。つまり、主制御部２２は、ステップＳ１６とステップＳ１８とで、操作者の文字入力操作を検出し、その入力操作に基づいた文字または文字列（以下「文字列」という。）を表示部３２に表示させる。なお、ステップＳ１８で表示される文字列は、変換前の文字列であり、操作者に入力された文字列をそのまま表示する。
【００３４】
主制御部２２は、ステップＳ１８で文字表示処理を行ったら、ステップＳ２０として、辞書読み出し処理を行う。具体的には、主制御部２２は、文字列を漢字等に変換する変換候補を作成するために記憶部２４に記憶されている辞書データを読み出す。なお、主制御部２２は、記憶部２４から辞書データの全てのデータを読み出してもよいが、ステップＳ１６で入力されて確定していない（処理の対象となる）文字列に応じて、読み出すデータを絞りこんでもよい。
【００３５】
主制御部２２は、ステップＳ２０で辞書データの読み出し処理を行ったら、ステップＳ２２として、文字列の単語分割処理を行う。つまり、変換候補を作成するために、変換の対象となる文字列を単語に分割する。ここで文字列を単語に分割する方法は特に限定されないが、例えば、文字列と辞書データの単語との比較を行いながら、文字列中の単語を抽出することで分割することができる。また、文字列を異なる文字位置で分割し、複数の異なるパターンに分割するようにしてもよい。
【００３６】
主制御部２２は、ステップＳ２２で変換の対象となる文字列を単語に分割したら、ステップＳ２４として、ＫＹ語変換候補を作成する。ここで、ＫＹ語とは、文字列を構成する各単語の頭文字をローマ字化し、その先頭のアルファベットのみを繋げたもので、頭文字略語の一種である。図５に示すように単語の頭文字の入力かなとアルファベットとが対応している。具体的には、「あ」には「Ａ」が対応しており、「い」には「Ｉ」が対応しており、「か」「き」「く」「け」「こ」には、「Ｋ」が対応している。また、拗音には、それぞれアルファベットの小文字が対応している。具体的には、「ぁ」には、「ａ」が対応しており、「ぃ」には、「ｉ」が対応しており、「ゃ」には、「ｙ」が対応している。主制御部２２は、分割した各単語の頭文字をローマ字化し、各単語の先頭のアルファベットを繋げることでＫＹ語を生成する。また、主制御部２２は、文字列が、複数パターンの単語に分割されている場合は、各パターンをそれぞれＫＹ語に変換する。
【００３７】
主制御部２２は、ステップＳ２４でＫＹ語変換候補を作成したら、ステップＳ２６として、変換候補文字の表示処理を行う。つまり、変換候補となる文字列を表示部３２に表示させる。具体的には、ステップＳ２４で作成したＫＹ語変換候補と、ステップＳ２２で分割した単語と辞書データとに基づいて作成される変換候補（例えば少なくとも一部を漢字変換した文字列や、カタカナに変換した文字列）とを表示部３２に表示させる。なお、表示させる変換候補の数は特に限定されず、任意の数とすればよい。また、操作者によるスクロール操作等で、表示させる変換候補を変更するようにしてもよい。
【００３８】
主制御部２２は、ステップＳ２６で変換候補文字を表示部３２に表示させたら、ステップＳ２８として、選択操作が入力されたかを判定する。つまり、操作者により複数の変換候補の中の１つを選択する操作が入力されたかを判定する。なお変換候補を選択する動作としては、十字キー等の入力に対応させて選択している変換候補を変化させる動作が例示される。
【００３９】
主制御部２２は、ステップＳ２８で選択操作の入力がない（Ｎｏ）と判定したら、ステップＳ２９として文節変更処理が入力されたかを検知する。ここで、文節変更処理とは、変換候補の文字列を単語に分割する位置を変化させる処理であり、操作者が十字キー等を操作することで、文節位置を変化させる指示が入力される。主制御部２２は、ステップＳ２９で文節変更処理を検知したら（Ｙｅｓ）、ステップＳ２０に進む。なお、主制御部２２は、ステップＳ２９でＹｅｓと判定された後、ステップＳ２２に進んだ場合は、ステップＳ２９で入力された文節に基づいて、変換の対照となる文字列を単語に分割する。
【００４０】
主制御部２２は、ステップＳ２９で文節変更処理を検知していない（Ｎｏ）場合、ステップＳ１６に進む。つまり、主制御部２２は、変換候補の選択操作の入力がなく、文節変更処理もない場合は、変換の対象となる文字列の入力が終了していないと判定して、操作者による文字入力操作の検知を行う。その後、新たに追加された文字も加えた文字列を変換の対象としてステップＳ１８からステップＳ２８までの処理を行う。
【００４１】
例えば、図６に示すように、主制御部２２は、操作キー３の操作により文字列「ちょう」と入力されると、辞書データに基づいて「超」、「長」、「帳」、「蝶」、「ちょう」、「チョウ」を変換候補として作成して表示部３２に表示し、さらに、「Ｃ」、「ＣＵ」をＫＹ語変換候補として作成して表示部３２に表示する。ここで、ＫＹ語変換候補「Ｃ」は、「ちょう」を１つの単語として作成し、ＫＹ語変換候補「ＣＵ」は、「ちょ」と「う」をそれぞれ単語に分割することで作成している。
【００４２】
その後、確定処理を行わず文字入力を継続して「くうき」と入力すると、文字列が「ちょうくうき」となる。文字列が「ちょうくうき」となると、辞書データに基づいて「超空気」、「長句右記」、「ちょうくうき」、「チョウクウキ」を作成して変換候補として表示し、「ＣＫ」、「ＣＵＵ」をＫＹ語変換候補として作成し表示部３２に表示する。なお、このとき、ＫＹ語変換候補「ＣＫ」は、「ちょう」と「くうき」をそれぞれ単語に分割することで作成し、ＫＹ語変換候補「ＣＵＵ」は、「ちょ」と「うく」と「うき」をそれぞれ単語に分割することで作成している。
【００４３】
次に、主制御部２２は、ステップＳ２８で選択候補の入力あり（Ｙｅｓ）と判定したら、ステップＳ３０として、変換候補としてＫＹ語が選択されたかを判定する。つまり、変換候補のうち、ステップＳ２４で作成したＫＹ語変換候補が選択されたかを判定する。主制御部２２は、ステップＳ３０でＫＹ語が選択された（Ｙｅｓ）と判定したら、ステップＳ３２として、分割単語上にドット表示処理を行う。具体的には、選択されたＫＹ語変換候補で頭文字として判定されている文字、つまり分節した単語の先頭の文字でアルファベット表示の基礎となっている文字の上部にドットを表示させる。なお、ドットの表示位置は特に限定されず、単語の先頭の文字を認識できればよい。
【００４４】
具体的には、図６に示すように、文字列「ちょうくうき」の変換候補の中から変換する文字列を選択するときに、選択候補としてＫＹ語変換候補「ＣＫ」を選択すると、「ちょう」の頭文字である「ち」と、「くうき」の頭文字である「く」の上部にドットが表示される。また、選択候補としてＫＹ語変換候補「ＣＵＵ」を選択すると、「ちょ」の頭文字である「ち」と、「う」の頭文字である「うく」と、「うき」の頭文字である「う」の上部にドットが表示される。
【００４５】
主制御部２２は、ステップＳ３０で変換候補としてＫＹ語が選択されていない（Ｎｏ）と判定したら、または、ステップＳ３２で分割単語上にドット表示処理を行ったら、ステップＳ３４として、単語確定操作が入力を判定する。確定させる操作としては、決定キーを押下する動作や、次の文字を入力する動作等が例示される。主制御部２２は、ステップＳ３４で単語確定操作が入力されていない（Ｎｏ）と判定したら、ステップＳ２８に進み、上記操作を繰り返す。
【００４６】
また、主制御部２２は、ステップＳ３４で単語確定操作が入力された（Ｙｅｓ）と判定したら、変換の対象となる文字列を選択された文字列で確定させ、さらに、ステップＳ３６として、文字入力が継続されているかを判定する。ここで、主制御部２２は、文字キーが押下され次の文字の入力操作を検出したら、文字入力が継続されていると判定する。主制御部２２は、ステップＳ３６で文字入力が継続している（Ｙｅｓ）と判定したら、ステップＳ１６に進み、上記操作を繰り返す。また、主制御部２２は、ステップＳ３６で文字入力が継続していない（Ｎｏ）と判定したら、ステップＳ３８として、メニューキーが押下されているかを検知する。ここで、メニューキーは、操作キー３及び方向及び決定キー４のいずれかのキーであり、押下されたらメニュー画面を表示させる指示を出力するキーである。主制御部２２は、ステップＳ３８でメニューキーの押下を検知しなかったら（Ｎｏ）、ステップＳ５４に進む。
【００４７】
また、主制御部２２は、ステップＳ３８でメニューキーの押下を検知したら（Ｙｅｓ）、ステップＳ４０として、表示部３２の表示を更新する。具体的にはメニュー画面を表示させる。次に、主制御部２２は、ステップＳ４２として、ＫＹ語変換候補メニューが選択されたことを検知したら、ステップＳ４４に進む。ここで、ＫＹ語変換候補メニューとは、メニュー画面で選択可能な機能であり、変換の確定処理がされている文字列をＫＹ語に変換する機能である。また、文字列は、ユーザによって選択できるようにしても、メニュー選択時の状態等に応じて主制御部２２で自動的に抽出するようにしてもよい。なお、本制御例では、メニューを画面に表示した後、ＫＹ語変換候補メニューを選択する場合として説明するが、ステップＳ４０で表示されるメニュー画面に複数の機能を表示させ、ＫＹ語変換候補メニュー以外の種々の機能も実行できるようにしてもよい。
【００４８】
また、主制御部２２は、ステップＳ４４として、文字列の単語分割処理を行う。なお、主制御部２２は、ステップＳ３４で確定した変換に基づいて文字列を単語に分割する。次に、主制御部２２は、ステップＳ４４で文字列を単語に分割したら、ステップＳ４６として、ＫＹ語変換候補を作成する。なお、このとき各単語の頭文字は、変換前のかな入力に基づいて決定しても、辞書データに入力されている読みに基づいて決定してもよい。なお、操作者により選択可能とすることが好ましい。主制御部２２は、ステップＳ４６でＫＹ語変換候補を作成したら、ステップＳ４８として、変換候補文字の表示処理を行う。つまり、ステップＳ４６で作成したＫＹ語変換候補を表示部３２に表示させる。
【００４９】
主制御部２２は、ステップＳ４８で変換候補を表示部３２に表示させたら、ステップＳ５０として、分割単語の下線表示処理を行う。つまり、変換の対象となっている単語に下線を表示させる。なお、このとき下線は、分割した単語に対応して表示させる。つまり、単語毎に別々の下線を表示させる。
【００５０】
具体的には、まず、図７に示すように、主制御部２２は、文字列として「ちょうくうきよめない」と入力されると、辞書データに基づいて「超空気読めない」、「長句右記読めない」、「ちょうくうきよめない」を変換候補として作成し表示部３２に表示し、「ＣＫＹ」と「ＣＵＹ」とをＫＹ語変換候補として作成し表示部３２に表示する。なお、このとき、ＫＹ語変換候補「ＣＫＹ」は、「ちょう」と「くうき」と「よめない」をそれぞれ単語に分割することで作成し、ＫＹ語変換候補「ＣＵＹ」は、「ちょうく」と「うき」と「よめない」をそれぞれ単語に分割することで作成している。
【００５１】
次に、変換候補文字として、「超空気読めない」が選択され、確定されると、表示部３２に「超空気読めない」が表示される。なお、上記処理は、ステップＳ３４で単語の確定が行われた場合の例である。その後、メニューキーが押下されるとＫＹ語変換候補メニューが表示され、ＫＹ語変換候補メニューが選択されると、変換候補として「ＣＫＹ」が表示される。また、このとき、単語の分割にあわせて、「超」と「空気」と「読めない」のそれぞれに下線が引かれる。
【００５２】
主制御部２２は、ステップＳ５０で分割した単語に下線を引いたら、ステップＳ５２として確定入力（処理を確定する入力）があるかを判定する。つまり、ステップＳ４６で作成したＫＹ語や、変換前の文字で確定する指示が入力されたかを判定する。主制御部２２は、ステップＳ５２で処理確定の入力がない（Ｎｏ）と判定したら、ステップＳ５３として、文節変更処理が入力されたかを検知する。主制御部２２は、ステップＳ５３で文節変更処理を検知したら（Ｙｅｓ）、ステップＳ４４に進む。なお、主制御部２２は、ステップＳ５３でＹｅｓと判定された後、ステップＳ４４に進んだ場合は、ステップＳ５３で入力された文節に基づいて変換の対象となっている文字列を単語に分割する。
【００５３】
具体的には、図７に示すように変更された文節に基づいて「ちょうくうきよめない」を単語に分節し、変換候補として「著浮く浮世目無い」を作成し、表示する。さらに、その単語に合わせて、ＫＹ語変換候補「ＣＵＵＭＮ」を作成し表示する。なお、ＫＹ語変換候補「ＣＵＵＭＮ」は、「著浮く浮世目無い」を「著」「浮く」「浮世」「目」「無い」の５つの単語に分割することで作成している。また、５つの単語には、別々の下線を引いて表示する。
【００５４】
また、他の例として、操作者により操作され、文字入力と変換とが行われ、図８に示すように、文字列として「ごめん、俺って超空気読めないからさ」が作成された後、ステップＳ３８からステップＳ４２でメニュー選択が行われ「ＫＹ語変換候補」が選択されたことを検知したら、ＫＹ語に変換する部分の始点を選択させる画面を表示させる。この画面を表示させた後、操作者により方向及び決定キー４の操作が入力されると、その入力に合わせて表示部のカーソルを移動させ、操作者の決定に基づいて、始点を決定する。
【００５５】
次に、始点を決定したら、ＫＹ語に変換する部分の終点を選択させる画面を表示させる。この画面を表示させた後、操作者により方向及び決定キー４の操作が入力されると、その入力に合わせて表示部のカーソルを移動させ、操作者の決定に基づいて、終点を決定する。始点と終点を決定したら、変換する文字列を単語に分割し、ＫＹ語を作成する。本実施例では文字列として「超空気読めない」が選択されているので、ＫＹ語として「ＣＫＹ」と「ＣＵＵＭＮ」とを作成する。
【００５６】
その後、「ＣＫＹ」を選択し確定する処理が入力されたら「超空気読めない」を「ＣＫＹ」に変換し、「ごめん、俺ってＣＫＹからさ」として、ＫＹ語変換を完了させる。このように、ＫＹ語に変換する文字列の始点と終点を操作者の操作に基づいて決定するようにしてもよい。
【００５７】
主制御部２２は、ステップＳ５３で文節変更処理を検知していない（Ｎｏ）場合、ステップＳ１６に進み、上述した処理を繰り返す。
【００５８】
次に、主制御部２２は、ステップＳ５２で確定入力あり（Ｙｅｓ）と判定したら、または、ステップＳ３８でメニューキーが押下されていない（Ｎｏ）と判定したら、ステップＳ５４として、確定文字列データに含まれるＫＹ語と対応する文字とを紐付けして記憶させる。つまり、ＫＹ語に、変換の元となった文字を関連付けて記憶させる。
【００５９】
主制御部２２は、ステップＳ５６として、入力完了指示、つまり、文章作成終了の指示が入力されたかを判定する。主制御部２２は、ステップＳ５６で入力完了指示なし（Ｎｏ）と判定したらステップＳ１６に進み、文字入力および文章作成を継続する。また、主制御部２２は、ステップＳ５６で入力完了指示あり（Ｙｅｓ）と判定したら、ステップＳ５８として、メール送信処理を行うかを判定する。ここで、メール送信処理を行うか否かの判定は、操作者による送信指示が入力されているか否かに基づいて判定し、送信指示が入力されていることを検出したら、メール送信処理を行うと判定する。
【００６０】
主制御部２２は、ステップＳ５８で送信処理を行う（Ｙｅｓ）と判定したら、ステップＳ６０として、メール送信処理を行い、作成した文章の送信し処理を終了する。なお、メール送信処理は、主制御部２２がメールソフトウェアを用い、通信部２６を介して他の端末や基地局とデータの通信処理を行うことで行う。また、主制御部２２は、ステップＳ５８でメール送信処理を行わない（Ｎｏ）と判定したら、そのまま処理を終了する。なお、メール送信を行わない場合は、作成した文章のデータを記憶部２４に保存するようにしてもよい。
【００６１】
このように、変換する文字列を単語に分割し、各単語を、その単語または単語の先頭の文字をローマ字に変換した時の先頭のアルファベットに変換することで、文字列をＫＹ語に変換することができる。これにより、ＫＹ語が辞書に記憶されていない単語であってもＫＹ語に変換することが可能となり、操作者が自らアルファベットを入力してＫＹ語を作成する必要がなくなり、かな入力をすることでＫＹ語も作成することができる。これにより、操作者の所望の変換を行うことが可能となり、操作性を高くすることができる。また、辞書機能を用いることなく最新また種々のＫＹ語に変換することが可能となることで、辞書データの作成者の更新の手間を省略することができ、かつ、使用されているＫＹ語を常にリサーチする必要がなくなる。これにより、管理者の負担も軽くすることができる。
【００６２】
また、本実施形態のように、拗音に対して小文字を対応させることで、ＫＹ語をより有効に利用することができる。例えば、近年では、メール等の文章で、あ行の文字に拗音を用いる場合があるが、このような場合に、文字列に拗音が用いられていることを認識することができる。例えば「あけましておめでとう」を「ぁけましてぉめでとぅ」とし、この文字列をＫＹ語にしたときに「ａｏ」となる。これにより、「ぁけましてぉめでとぅ」と、元の文字列に拗音が用いられていることを認識することが可能となる。
【００６３】
なお、本実施形態では、単語をそのままＫＹ語にして、文章を繋げるようにしたが、ＫＹ語の最後の単語が、名詞以外の品詞、例えば、動詞、副詞、形容詞等の場合は、助詞や助動詞を補うようにすることが好ましい。例えば、「ごめん、俺って超空気読めないからさ」の「超空気読めない」を「ＣＫＹ」に変換する場合は、「ＣＫＹ」と「からさ」の間に「だ」を補い、「ごめん、俺ってＣＫＹだからさ」にすることが好ましい。このように、助詞や助動詞を補うことで、ＫＹ語に変換した場合の文章をより自然で読みやすい文章とすることが好ましい。
【００６４】
次に、図９及び図１０を用いて、ＫＹ語変換した文章を表示させる場合について説明する。ここで、図９は、携帯電子機器の処理動作を示すフロー図であり、図１０は、携帯電子機器の動作を説明するための説明図である。まず、図９を用いてＫＹ語に変換された文字列を表示させる表示処理の一例について説明する。まず、携帯電子機器１の主制御部２２は、基地局等からメールの受信通知が送られていることを検知したら、ステップＳ７０として、メール受信処理を行う。主制御部２２は、ステップＳ７０でメールの受信処理を行ったら、ステップＳ７２として受信したメールのデータにＫＹ語変換データがあるかを判定する。つまり、メールのテキストデータに加え、上述のステップＳ５４で作成した紐付けデータがあるかを判定する。主制御部２２は、ステップＳ７２でＫＹ語変換データあり（Ｙｅｓ）と判定したら、ステップＳ７４として、ＫＹ語変換データ、つまり、ＫＹ語に対応つけて送られた紐付けデータをバッファに記憶させた後ステップＳ７６に進む。ここで、バッファは、主制御部２２の処理領域を用いても、記憶部２４の記憶領域を用いてもよい。また、主制御部２２は、ステップＳ７２でＫＹ語変換データなし（Ｎｏ）と判定したら、そのままステップＳ７６に進む。
【００６５】
次に、主制御部２２は、ステップＳ７６として、受信したメールデータ、つまり文章のデータをバッファに記憶する。なお、メールに画像等が添付されている場合は、それらのデータもバッファに記憶する。
【００６６】
主制御部２２は、ステップＳ７６でメールデータをバッファに記憶したのち、ステップＳ７８として、受信メール表示操作を検知したら、ステップＳ８０として、メールの一覧の表示処理を行う。つまり、主制御部２２は、メールをバッファに記憶させたら、受信メール表示操作を検知するまでは、待機状態となる。また、この待機状態のときに、他のメールを受信する場合もある。
【００６７】
主制御部２２は、ステップＳ８０でメール一覧を表示させたら、ステップＳ８２として、選択メールプレビュー処理を行う。具体的には、メール一覧の中で、カーソル等により仮選択されたメールの内容の一部や、表題を表示できるようにする。操作者は、メール一覧の中からプレビュー表示されている内容を参考にして、表示させるメールを選択する。操作者がメールを選択すると、主制御部２２は、ステップＳ８４として、操作者の選択操作を検知する。
【００６８】
主制御部２２は、ステップＳ８４で操作者の選択操作を検知したら、ステップＳ８６として、選択メール（選択されたメール）にＫＹ語変換データがあるかを判定する。主制御部２２は、ステップＳ８６で選択メールにＫＹ語変換データなし（Ｎｏ）と判定したら、ステップＳ８８として、メール表示用のレイアウトを呼出す。なお、メール表示のレイアウトとは、ＫＹ語変換データがないメールを表示させるためのフレームである。また、レイアウトのデータは、記憶部２４に記憶されている。主制御部２２は、メール表示用レイアウトを呼出したら、ステップＳ９４に進む。
【００６９】
また、主制御部２２は、ステップＳ８６で選択メールにＫＹ語変換データあり（Ｙｅｓ）と判定したら、ステップＳ９０として、ＫＹ語表示エリア付きメール表示用レイアウトを呼出す（読み出す）。なお、ＫＹ語表示エリア付きメール表示用レイアウトとは、ＫＹ語変換データがあるメールを表示させるためのフレームであり、通常の文章を表示させるエリアに加え、ＫＹ語に紐付けされたデータを表示させるエリアがある。また、ステップＳ９０のレイアウトのデータも、記憶部２４に記憶されている。主制御部２２は、ステップＳ９０でＫＹ語表示エリア付きメール表示用レイアウトを呼出したら、ステップＳ９２として、ＫＹ語表示エリアにＫＹ語変換データ一覧表示処理を行う。具体的には、必要に応じて、ＫＹ語に紐付けされたデータをＫＹ語表示エリアに表示できるように受信データに含まる紐付けデータの処理を行う。
【００７０】
主制御部２２は、ステップＳ８８またはステップＳ９２の処理を終えたら、ステップＳ９４として、メール表示エリアにメール表示処理を行う。つまり、選択メールの文章データ等をメール表示エリアに表示するようにデータの処理を行う。これにより、表示部には、選択メールのデータが表示される。
【００７１】
次に、主制御部２２は、ステップＳ９６として、選択操作が検知されるかを判定する。具体的には、操作者により選択する操作が入力されているかを検知する。例えば、表示エリアをメール表示エリアからＫＹ語表示エリアに切り替える選択動作や、その逆に切り替える選択動作が入力されているかを判定する。主制御部２２は、ステップＳ９６で、選択操作を検知した（Ｙｅｓ）と判定したら、ステップＳ９８として、選択エリアの表示を更新する。例えば、表示部３２に表示させるエリアの大きさを切り替えたり、エリア同士の前後関係を切り替えたり、エリア内の表示を切り替えたりする。なお、表示の更新の仕方は操作者の操作や設定により種々のパターンで更新すればよい。
【００７２】
主制御部２２は、ステップＳ９６で選択操作を検知していない（Ｎｏ）と判定したら、または、ステップＳ９８の処理を終了したら、ステップＳ１００として、スクロール操作が入力されているかを検知する。本実施形態において、スクロール操作は、方向および決定キー４の方向キーの上下キーが押下される操作である。主制御部２２は、ステップＳ１００でスクロール操作を検知したら（Ｙｅｓ）、ステップＳ１０２として、選択エリアのスクロール表示処理を行う。具体的には、操作者による上下キーの押下時間、回数に応じて、スクロール量を検知し、そのスクロール量に基づいて表示エリアを移動させる。
【００７３】
主制御部２２は、ステップＳ１００でスクロール操作を検知していない（Ｎｏ）と判定したら、または、ステップＳ１０２の処理が終了したら、ステップＳ１０４として、終了指示があるかを判定する。つまり、メール表示処理を終了する指示が入力されているかを判定する。主制御部２２は、ステップＳ１０４で終了指示なし（Ｎｏ）と判定したら、ステップＳ９６に進み、上記操作を繰り返し、ステップＳ１０４で終了指示あり（Ｙｅｓ）と判定したら、処理を終了する。
【００７４】
次に、図１０とともに具体的な一例を説明する。図１０に示すように「ちょうくうきよめない」を、「超空気読めない」と変換した後、ＫＹ語変換機能で「ＣＫＹ」と変換したメールを送信する。このメールを受信した受信者が、メールを表示させると、図１０の右下の図のように、ＫＹ語表示エリアに「ＣＫＹ」は、「超空気読めない」の略であることを示す情報が記載される。一方、ＣＫＹをアルファベットとして入力した場合は、図１０の左下の図のように、単にＣＫＹと表示されるのみとなる。
【００７５】
このように、ＫＹ語変換機能により、ＫＹ語と変換の元となる文字列とを対応させて記憶させ、表示させるようにすることで、ＫＹ語の意味が理解できない操作者にメールを送信する場合でも、文章の意味が理解できるようにすることができる。これにより、ＫＹ語を利用した場合でも、意味を誤解されることを防止することができ、また、ＫＹ語を知らない操作者は、ＫＹ語を学習することが可能となる。
【００７６】
なお、本実施形態では、紐付けデータとして、別エリアに表示させるようにしたが、本発明はこれに限定されず、文章データの文末に、ＫＹ語と変換前の文字列とを対応させて表示させるようにしてもよい。これにより、ＫＹ語変換機能に対応していない端末に送信する場合でも、ＫＹ語と元の文字列（単語）との対応を理解することが可能となる。
【００７７】
ここで、上記実施形態では、かな文字やかな漢字混じり文字の文字列をＫＹ語に変換する場合としたが本発明はこれに限定されない。本発明は、文字列を単語に分割し頭文字略語に短縮する種々の場合に用いることができ、英語の文章の場合に各英単語を先頭のアルファベットのみにして連結し、頭文字略語を作成するようにしてもよい。また、英語に限らず種々の言語で頭文字略語を作成することができる。
【産業上の利用可能性】
【００７８】
以上のように、本発明にかかる文字入力装置、文字表示システム、文字表示装置及び文字変換方法は、入力された文字列を他の文字列に変換する及び／または変換された文字を表示する装置、方法に用いることに有用である。
【符号の説明】
【００７９】
１  携帯電子機器
１Ｃ  筐体
１ＣＡ  第１筐体
１ＣＢ  第２筐体
２Ｍ  メインディスプレイ
３  操作キー
４  方向及び決定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
【図１】
2010277219.tif 000003
【図２】
2010277219.tif 000004
【図３】
2010277219.tif 000005
【図４】
2010277219.tif 000006
【図５】
2010277219.tif 000007
【図６】
2010277219.tif 000008
【図７】
2010277219.tif 000009
【図８】
2010277219.tif 000010
【図９】
2010277219.tif 000011
【図１０】
2010277219.tif 000012